(57)【要約】【課題】縦位置で撮影された画像が横向きに表示されることがなく、カメラの姿勢を変えずに横位置の姿勢のままで縦位置の撮影が可能であり、かつ、撮像素子のサイズ及び画素を有効に利用しながらも小型の光学系を使用することができるカメラを提供する。【解決手段】イメージサークルの直径を、長辺ａ短辺ｃの長方形の対角線長さ、すなわち図２中の直径Ｄｌと等しくする。縦横切替スイッチ３０１により撮影する画像の縦長、横長を決めるが、その設定値と共に、縦位置及び横位置それぞれに必要な画像データを記録する。【選択図】図２
2006050475.tif 000002
【特許請求の範囲】
【請求項１】
正方形の４辺により囲まれた領域を受光面として撮影光学系により形成される像を撮像する撮像素子と、
前記撮像素子により撮像される像のうち利用する画像の領域を縦長長方形領域及び横長長方形領域のいずれにするのかを選択する利用領域選択部と、
を備え、
前記縦長長方形領域の４つの角及び前記横長長方形領域の４つの角は、同一円上に配置されており、
前記撮影光学系のイメージサークルの直径は、前記縦長長方形領域及び前記横長長方形領域の対角線長以上であって、前記撮像素子の受光面を囲む正方形の対角線長よりも小さいこと、
を特徴とするカメラ。
【請求項２】
請求項１に記載のカメラにおいて、
前記縦長長方形領域及び前記横長長方形領域の長辺の長さは、前記撮像素子の受光面を囲む正方形の一辺の長さと等しいこと、
を特徴とするカメラ。
【請求項３】
請求項１又は請求項２に記載のカメラにおいて、
前記利用領域選択部による選択結果に関わらず、前記縦長長方形領域及び前記横長長方形領域の両領域において受光して得た撮像データを保存する保存部を有すること、
を特徴とするカメラ。
【発明の詳細な説明】
【技術分野】
【０００１】
本発明は、被写体像を電子的に撮像して記録する所謂デジタルスチルカメラに関するものである。
【背景技術】
【０００２】
撮影光学系により形成される像を撮像素子により撮像する所謂デジタルカメラが広く普及している。デジタルカメラでは、撮像素子として、ＣＣＤ等に代表される画像センサを用いるものが多く、この画像センサから得られる電気信号（アナログ）を、Ａ／Ｄ変換することにより離算値（デジタル）データとして保存する。デジタルカメラは、従来のいわゆる銀塩フィルムを用いたカメラとは異なり、印画紙等にプリントした紙媒体以外でも撮影画像の鑑賞が可能であるという特徴を有している。例えば、撮影した画像データを、撮影直後にカメラに内蔵されているＬＣＤモニタ上で見ることもできれば、画像データをコンピュータに転送して、コンピュータと接続されているモニタ上で見ることもできる。
【０００３】
一方、写真は、長方形形状をしたものが、銀塩フィルムカメラ時代から一般的であり、デジタルカメラにおいても、その撮像素子には、長方形形状のものが広く用いられている。
一般的に、カメラを正位置に構えたときには、フィルムや撮像素子は、長方形が横長となる配置となり、これを横位置、又は、横位置の構図と呼ぶ。また、フィルムや撮像素子が縦長の配置となるように構えたときは、縦位置、又は、縦位置の構図と呼ばれている。
従来の銀塩フィルムを用いたカメラの場合、フィルムから最終的に印画紙にプリントされるため、仮に縦位置の構図で撮影されても、鑑賞時に写真を回転させれば問題はなかった。
【０００４】
しかし、デジタルカメラの場合、例えば、プリンタ等を用いて紙媒体に印刷されることもあるが、実際は、前述した通り、コンピュータに接続されたモニタ上で鑑賞することが多く、その場合には、縦位置で撮影された写真も、全て横向きで表示されてしまうという問題がある。
この場合、プリントされた写真と同様に、画像（写真）を表示しているＣＲＴやＬＣＤモニタを９０度回転させて写真を鑑賞することは、物理的に好ましくないことは明らかである。
また、縦位置と横位置とが混在している画像データの中から、縦位置のみを選別し、いわゆる画像処理ソフトを用いて画像を縦位置になるように回転させる処理を行うことは、非常に労力と時間が必要であるという問題があった。
【０００５】
これらの問題を解決するために、例えば、特許文献１には、撮影時のカメラの姿勢を検出し、その検出結果を基に画像データを縦位置、又は、横位置に並び替え、記録する技術が開示されている。この技術では、撮影者は、縦位置の構図で撮影したいときには、カメラをいわゆる縦位置に構えなおして撮影を行う必要があり、シャッターチャンスを逃しやすいという問題があった。
【０００６】
一方、特許文献２には、撮影光学系と撮像素子を内蔵した撮像ユニットと、フレーミングを確認するＬＣＤモニタユニットが回転可能に連結されていることにより、従来では撮影が困難であった、高い位置、又は、低い位置での構図の撮影が容易に行えるカメラが開示されている。
しかし、特許文献２に記載のカメラでは、横位置（横長のフレーム）の撮影時は、その利便性を享受できるが、縦位置においては、横位置同様の利便性を得ることができずに、縦位置撮影時は、従来のカメラと同様の利便性しか得られないという問題があった。
【０００７】
上記の問題に対して、例えば、ＬＣＤモニタユニットを、カメラ本体に対していわゆるボールジョイントのような方式で結合させる方法も考えられる。しかし、ボールジョイントのような機構では、連結機構の機械的強度が弱いという問題、構造が複雑かつ配線の難易度が高いという問題、モニタユニットの可動自由度が大きいためかえって使い難いという問題等があった。
したがって、特許文献２に示されるようなカメラにおいては、前述の特許文献１に示された技術は、全く有効で無いという問題があった。
【０００８】
一方、撮像ユニットとＬＣＤモニタユニットとが、回転可能に連結されているカメラにおいて、例えば、特許文献３に開示された発明が有効な場合がある。
特許文献３は、いわゆる電子ズームによって撮像素子上の所定の範囲に対応する像を拡大するときに、その切り出し方向、すなわち、前述した縦位置又は横位置を設定することが可能という技術である。この特許文献３に開示された発明を用いれば、カメラの姿勢を変えることなく、縦位置及び横位置の画像を得ることが可能となる。
【０００９】
しかし、特許文献３は、元来、撮像素子の大きさに対してイメージサークル（イメージサイズ、又は、撮影可能範囲）が小さい光学系を用いた場合に、ケラレなどが生じないようにするための救済処置的な技術であるため、用いる撮影光学系のイメージサークルの大きさによっては、切り出し領域が撮像素子の大きさに対して、著しく小さくなってしまう可能性がある。
したがって、この発明をカメラの姿勢を変えずに縦位置及び横位置の撮影を行うために用いた場合、撮像素子は、イメージサークルより明らかに大きいものを用いる必要があり、大きい撮像素子であるが故にコスト高となってしまうという問題があった。
また、実際には、撮像素子上の有効画素の一部しか用いないため、用いていない撮像素子上の画素に対しても、マイコン等の制御器の処理能力を割く必要があり、さらに電力供給も必要な、極めて非効率的なシステムとなってしまうという問題があった。
さらに、特許文献３において、撮像素子のサイズがイメージサークルに対して適している場合、すなわち、撮像素子の対角線長さをイメージサークルの直径よりも小さくした場合、発明による効果を得ることができず、カメラを正位置でホールドしたまま縦位置の構図の画像を得ることが不可能となってしまうという問題があった。
【００１０】
また、特許文献４には、常に画像データの向きを補正せずに縦／横の写真を撮影可能とすると共に、縦／横位置によらずに常に安定した構えで撮影することが可能なデジタルカメラが開示されている。
しかし、特許文献４に記載の発明では、「平面形状が正方形の撮像素子によって、被写体を正方形の形状に撮影し、その結果をデジタル画像データに変換する。」とあることから、イメージサークルの直径は、正方形の撮像素子の対角線長さ以上である必要がある。そうすると、得られる画像データに比べて、従来以上に大きなイメージサークルが必要になり、撮影光学系が大型化してしまうという問題があった。また、従来からある撮影光学系を利用したり、従来と同様な小型の撮影光学系（従来と同等な小さいイメージサークルを持っている撮影光学系）を利用したりする場合には、イメージサークルの直径に合わせて撮像素子の大きさを決める必要がある。そうすると、実際に長方形の画像データとして利用することができる領域が小さくなり、画質が低下してしまうという問題があった。
【００１１】
前述した通り、カメラの姿勢を変えての縦位置での撮影は、特許文献２に示される構造のカメラには適さないため、上記の理由から特許文献３又は特許文献４により、特許文献２に示される構造のカメラにおける縦位置撮影の問題を解決することができなかった。
【特許文献１】特開２００２−２６２１５５号公報
【特許文献２】特開２００２−３２０１２０号公報
【特許文献３】特開２００３−６０９６９号公報
【特許文献４】特開平１０−１５５１１１号公報
【発明の開示】
【発明が解決しようとする課題】
【００１２】
本発明の課題は、縦位置で撮影された画像が横向きに表示されることがなく、カメラの姿勢を変えずに横位置の姿勢のままで縦位置の撮影が可能であり、かつ、撮像素子のサイズ及び画素を有効に利用しながらも小型の光学系を使用することができるカメラを提供することである。
【課題を解決するための手段】
【００１３】
本発明は、以下のような解決手段により、前記課題を解決する。なお、理解を容易にするために、本発明の実施例に対応する符号を付して説明するが、これに限定されるものではない。
請求項１の発明は、正方形の４辺により囲まれた領域を受光面（１０２）として撮影光学系（１０１）により形成される像を撮像する撮像素子（２０２）と、前記撮像素子により撮像される像のうち利用する画像の領域を縦長長方形領域及び横長長方形領域のいずれにするのかを選択する利用領域選択部（３０１）と、を備え、前記縦長長方形領域の４つの角及び前記横長長方形領域の４つの角は、同一円上に配置されており、前記撮影光学系のイメージサークルの直径（Ｄ１）は、前記縦長長方形領域及び前記横長長方形領域の対角線長（Ｄ１）以上であって、前記撮像素子の受光面を囲む正方形の対角線長（Ｄ２）よりも小さいこと、を特徴とするカメラである。
【００１４】
請求項２の発明は、請求項１に記載のカメラにおいて、前記縦長長方形領域及び前記横長長方形領域の長辺の長さは、前記撮像素子（３０１）の受光面（１０２）を囲む正方形の一辺の長さと等しいこと、を特徴とするカメラである。
請求項３の発明は、請求項１又は請求項２に記載のカメラにおいて、前記利用領域選択部による選択結果に関わらず、前記縦長長方形領域及び前記横長長方形領域の両領域において受光して得た撮像データを保存する保存部（２０８）を有すること、を特徴とするカメラである。
【発明の効果】
【００１５】
本発明によれば、以下の効果を奏することができる。
（１）利用領域選択部を備え、撮影光学系のイメージサークルの直径は、縦長長方形領域及び横長長方形領域の対角線長以上であって、撮像素子の受光面を囲む正方形の対角線長よりも小さいので、カメラの姿勢を変えずに横位置の姿勢のままで縦位置の撮影をすることができる。また、撮像素子のサイズ及び画素を有効に利用しながらも小型の光学系を使用することができる。さらに、利用領域選択部の選択結果を利用することから、縦位置で撮影された画像が横向きに表示されることなく、正しい向きで表示することができる。
【００１６】
（２）縦長長方形領域及び横長長方形領域の長辺の長さは、撮像素子の受光面を囲む正方形の一辺の長さと等しいので、撮像素子のサイズ及び画素を最大限に利用することができる。
【００１７】
（３）利用領域選択部による選択結果に関わらず、縦長長方形領域及び横長長方形領域の両領域において受光して得た撮像データを保存するので、撮影後であっても、画像を正しい向きで表示することができる。
【発明を実施するための最良の形態】
【００１８】
縦位置で撮影された画像が横向きに表示されることがなく、カメラの姿勢を変えずに横位置の姿勢のままで縦位置の撮影を可能にするという目的を、撮像素子のサイズ及び画素を有効に利用しながらも小型の光学系を使用して実現した。
【実施例】
【００１９】
図１は、本発明によるカメラの実施例の概要を示すブロック図である。
鏡筒部１００は、結像に必要な撮影光学系１０１を有し、カメラ本体２００と結合されている。
システムコントローラ２０１は、カメラ全体の制御を目的とした、いわゆるマイコンによって構成されているデジタルコントローラである。
鏡筒部１００の撮影光学系１０１は、被写体像を像面１０２上に結像する光学系である。また、撮影光学系１０１は、不図示のブレ補正レンズを有しており、ブレ補正動作を行うときには、このブレ補正レンズが光軸に直交する方向に移動することにより、像ブレを補正する。
【００２０】
シャッタ・絞り１０３は、撮影光学系１０１を通ってきた光束に対して、光束の直径及び像面１０２上の露光時間を制御する機構である。
シャッタ・絞り制御回路１０４は、システムコントローラ２０１からの信号により、シャッタ・絞り１０３の、絞り開口量及びシャッタスピード等の機構の駆動制御を行う電気回路である。
像面１０２は、撮像素子２０２上にあって、像が形成される面である。
【００２１】
撮像素子２０２は、一般的な画像センサとして知られているＣＣＤやＣ−ＭＯＳセンサ等、素子表面上における光の強度に比例したアナログ信号（電圧又は電流）を出力するセンサ（画素）が２次元で配列されているイメージセンサである。
撮像素子２０２上には、撮像素子を構成する画素のピッチ以下の、理論上表現出来ない微細パターンの画像を撮影したときに発生する、いわゆるモアレ等の偽画像の生成を防ぐことを目的とした、俗に言う光学式ローパスフィルタが配置されている。
【００２２】
図２は、本発明における撮影光学系におけるイメージサークルと撮像素子外形寸法、及び、縦位置、横位置時における画像の切り出し範囲を示す図である。
撮影光学系１０１によるイメージサークルと、撮像素子２０２の大きさの関係について、図２を用いて説明する。
まず、本発明によって大きい効果を得るためには、以下に述べる理由により撮像素子２０２の画素が配列されている領域は、略正方形が望ましい。
なお、従来から公知のカメラにおいては、カメラ本体２００の姿勢を変えて、縦位置又は横位置の構図の撮影を行うことを前提としているため、撮像素子２０２又は素子上に配置されている画素の配置されている領域は、長方形をしているものが広く普及している。
撮影光学系１００は、略円形をしたイメージサークルを有している。なお、このイメージサークルは、基本的には、撮影光学系により像面に投影される被写体像の直径であるが、実使用上問題のある周辺光量の低下率、ＭＴＦの低下率等を考慮して上述の被写体像の直径よりも小さい範囲として定義してもよい。
従来、一般的には、画像周辺部も良好な撮影結果を得るために、イメージサークルは、撮像素子２０２上の撮像可能領域（画素が配列されている領域）よりも大きく設計される。
【００２３】
実際の撮影において、カメラ本体２００の姿勢を変えずに、縦位置の構図（縦長の長方形）及び横位置の構図（横長の長方形）の撮影を可能にする手段として、撮像素子２０２において、撮影可能領域内で縦位置及び横位置の構図範囲のみ、画像として表示及び記録する、すなわち、トリミングして表示及び記録する方法がある。
本実施例では、撮像素子２０２の撮像可能な領域を四角形とし、同サイズかつ同アスペクト比の長方形で、縦位置及び横位置の構図のトリミングを行う。この場合、撮像素子２０２の撮像可能領域を正方形にすることにより、撮影に使用しない撮像可能領域を最も小さくすることができ、有効に撮像可能領域を使用することができる。
なお、撮像素子２０２を、縦位置及び横位置構図で使用する領域よりも、十分に大きくするという方法も考えられる。しかし、撮像素子２０２のサイズに比例して、製造コストが上がることから好ましくなく、撮影画素数を減少しないようにしながら、できるだけ撮像素子２０２を小さくすることが望ましい。
【００２４】
そこで、本実施例では、図２に示されるように、撮像素子２０２の撮像可能な領域を略正方形とした。この正方形の辺の長さはａ、対角線の長さはｂであり、縦位置及び横位置の構図で使用する長方形は、長辺の長さがａ、短辺の長さがｃである。
なお、撮像素子２０２は、略正方形をしていながらも、実際に画像信号が得ることができる画素（ＣＣＤやＣ−ＭＯＳ単体）を、縦位置及び横位置構図で使用する領域（図２において斜線を付した十字形状の領域）のみに配置してもよい。
ここで、撮像素子２０２の大きさに対して、撮影光学系１０１により形成されるイメージサークルの直径は、縦位置及び横位置構図で使用する長方形の領域の対角線長さ以上、すなわち、図２に示されるＤｌの寸法以上あれば、縦位置及び横位置構図の映像を撮影することができる。しかし、イメージサークルの直径がＤ２よりも大きいと、撮影光学系が必要以上に大きくなってしまう。言い換えると、撮像素子の大きさが小さく、撮影光学系を十分に利用することができておらず無駄が多くなるといえる。
そこで、本実施例では、撮像素子２０２の大きさに対して、撮影光学系１０１により形成されるイメージサークルの直径を図２に示される直径Ｄｌとして、縦位置及び横位置構図で使用する長方形の領域の対角線長さと等しくした。こうすることにより、撮影光学系１０１のイメージサークルを最大限利用して高画質な映像を、縦位置及び横位置構図で姿勢を変えることなく撮影することができる。
【００２５】
背景技術において説明した従来のカメラの場合、イメージサークルの直径は、撮像素子２０２の対角線長さｂ以上、例えば、図２中の直径Ｄ２（＝ｂ）以上必要であった。一方、本発明では、イメージサークルの直径は、長辺ａ短辺ｃの長方形の対角線長さ（すなわち図２中の直径Ｄｌ）以上であって、かつ、撮像素子２０２の対角線長さｂ以下とすることにより、撮影光学系の大型化を防ぎながら、縦位置及び横位置構図で姿勢を変えることなく撮影できるようにしている。
なお、直径Ｄｌは、縦位置の構図の撮影を行うときにカメラ本体２００の姿勢を変える必要がある従来のカメラにおけるイメージサークルの直径と同じである。また、直径Ｄｌは、直径Ｄ２より小さいことは図２より明らかである。
すなわち、撮像素子２０２自体は、一辺の長さがａの正方形であり、従来の長辺ａ短辺ｃの長方形形状のものよりも大きくなったにも関わらず、本発明においては、撮影光学系１００により形成させるイメージサークルの直径Ｄｌは、従来同様の大きさのままで、本発明の効果を十分に得ることができ、本発明の適用により光学系の変更は必要ない、という利点を有している。
【００２６】
図１に戻って、撮像信号処理回路２０３は、撮像素子２０２から出力されたアナログ信号の増幅及び高周波のノイズの除去を目的としたローパスフィルタ等からなるアナログ回路である。
Ａ／Ｄ変換器２０４は、撮像信号処理回路２０３から出力されたアナログ信号を、量子化及び標本化によって、システムコントローラ２０１で処理できるデジタル信号へと変換する変換器である。
メモリ２０５は、撮影により得られた画像データを一時保存することを目的とした、いわゆるＤＲＡＭ等のバッファメモリで構成されており、Ａ／Ｄ変換器２０４により変換された画像データは、システムコントローラ２０１の指示値に基づき、メモリ２０５へ一時保存される。メモリ２０５は、撮影者が例えば、フレーミング等、構図を整えているときも常にＡ／Ｄ変換器２０４からの出力データを一時保存している。
また、メモリ２０５には、撮影時における各種設定も画像データと併せて保存され、さらに、システムコントローラ２０１は、メモリ２０５にアクセス可能となっている。
【００２７】
画像処理回路２０６は、メモリ２０５ヘアクセスすることにより、メモリ２０５に一時保存されている画像データに対して、システムコントローラ２０１からの指示値に基づいて画像処理を施すデジタル処理回路である。
圧縮伸張回路２０７は、画像処理回路２０６から画像データを受け、最終的に画像データを記憶装置２０８に保存するときに最適な形態の画像データになるように、データ量の圧縮処理等を行う。また、圧縮伸張回路２０７は、記憶装置２０８に圧縮された形態で保存されている画像データを読み出し、これに対して各種の画像処理が可能となる形態の画像データとなるように、伸張処理も行う。この圧縮伸張回路２０７においては、例えば、ＪＰＥＧ圧縮等の一般的な圧縮伸張が可能なアルゴリズムが用いられている。
【００２８】
記憶装置２０８は、圧縮伸張回路２０７を経由して圧縮された画像データ、及び、これに付随する各種画像情報、撮影時の各種設定データをファイルとして保存する保存部である。
記憶装置２０８は、例えば、カメラ本体２００に対して着脱可能に設けられた、カード形状やスティック形状等からなる半導体メモリや、小型のハードディスク、又は、カメラ本体２００に固定された半導体メモリ等、デジタルデータの保存が可能であれば何を用いてもよい。
記憶装置２０８は、圧縮伸張回路２０７からアクセス可能であり、記憶装置２０８に圧縮された状態で保存されている画像データは、圧縮伸張回路２０７の伸張アルゴリズムにより伸張され、メモリ２０５へ一時保存することができる。
【００２９】
画像表示素子２０９は、カメラ本体２００の背面に設けられ、平面形状をした、画像情報の表示が可能なデバイスである。画像表示素子２０９は、撮影光学系１０１により撮像素子上へ結像された被写体像を映し出すことによって、撮影者が撮影時におけるフレーミングを確認することができる。また、画像表示素子２０９は、撮影後、メモリ２０５又は記憶装置２０８に保存された画像データによる画像を映し出すことにより、撮影結果を確認、鑑賞することができる。さらに、画像表示素子２０９は、カメラの各種設定を表示することによって、撮影者に対してカメラの設定を示すことができる。
画像表示素子２０９は、いわゆるＬＣＤモニタ等、画像の表示が可能なものであれば、どのような形態の表示素子を用いてもよい。
【００３０】
ファインダ表示素子２１０は、ファインダ接眼光学系２１１を介して、撮影者に対して画像情報を示すデバイスである。ファインダ表示素子２１０のその他の機能及び構成は、画像表示素子２０９と同様である。
ファインダ表示素子２１０及びファインダ接眼光学系２１１は、従来公知の光学式ファインダと同様の使用感で、撮影者に対して画像表示素子２０９と同様の画像情報の提供をすることができる。
なお、ファインダとして従来公知の光学式ファインダを用いた場合、ファインダ表示素子２１０は必要ない。
【００３１】
表示素子制御回路２１２は、システムコントローラ２０１から指示された情報を、画像表示素子２０９及びファインダ表示素子２１０に表示させるためのＤ／Ａ変換器を含む、画像表示素子２０９及びファインダ表示素子２１０の駆動制御回路である。
表示素子制御回路２１２は、システムコントローラ２０１の指示値に基づきメモリ２０５から送られてくる画像データを受け取り、画像表示素子２０９及びファインダ表示素子２１０上に表示を行わせることが可能である。表示素子制御回路２１２は、メモリ２０５を介する画像データであれば、例えば、Ａ／Ｄ変換器２０４から出力されるレリーズ前のフレーミング時における動画や、撮影後に記憶装置２０８に保存された画像データを、画像表示素子２０９やファインダ表示素子２１０へ表示させることができる。
【００３２】
また、表示素子制御回路２１２は、画像データの表示以外に、システムコントローラ２０１の指示値に従い、例えば、カメラの各種設定（シャッタスピード、絞り値等）を、画像表示素子２０９及びファインダ表示素子２１０へ表示させることができる。
さらに、表示素子制御回路２１２は、システムコントローラ２０１の指示値に基づき、画像ごとに画像の表示範囲を変更する。例えば、システムコントローラからの指示値が縦位置構図の画像のときは縦長の長方形、横位置構図の画像のときは横長の長方形、として画像表示素子２０９及びファインダ表示素子２１０に画像を表示させることができる。
【００３３】
レリーズスイッチ２１３は、いわゆるシャッタボタンであり、撮影者は、レリーズスイッチ２１３を押すことにより、撮影と画像の保存をすることができる。
縦横切替スイッチ３０１は、撮影者がフレーミングを行うとき、カメラの姿勢を変えることなく縦位置の構図で撮影するか、又は、横位置の構図で撮影するかを任意に選択する利用領域選択部である。縦横切替スイッチ３０１の状態は、システムコントローラ２０１へ入力される。
【００３４】
なお、カメラの電源は、撮影者により不図示のメインスイッチのオン動作により行われ、撮像素子２０２上の画像は、画像表示素子２０９又はファインダ表示素子２１０上に表示される。レリーズスイッチ２１３を押す動作により撮影された画像は、最終的には各種設定データ（縦横切替スイッチ３０１の状態など）と共に、記憶装置２０８に保存される。撮影者は、任意に記憶装置２０８に保存された画像データと各種設定データをシステムコントローラからの指示値に基づき、画像表示素子２０９により鑑賞することができる。
【００３５】
次に、本発明の実施例における、レリーズスイッチ２１３のオン動作から、画像データが記憶装置２０８に保存される撮影完了までの一連の動作について説明する。
まず、レリーズスイッチ２１３が撮影者によって操作（オン動作）されることによって、所定の指示信号が発生し、この信号を受けたシステムコントローラ２０１が各回路を制御することによって、撮像素子２０２上に形成されている所望の画像情報が取得される。この撮像動作は、本発明に直接関係しないので、その詳細な説明については省略する。
ただし、レリーズスイッチ２１３のオン動作時、システムコントローラ２０１は、縦横切替スイッチ３０１が、縦位置又は横位置のどちらが選択されているかをモニタしている。なお、縦位置又は横位置のどちらに選択されていても取得される画像データそのものは同じであり、画像データそのものを直接トリミングして、例えば、縦位置時において横位置構図のときのみ用いる領域のデータを破棄することは行われない。
【００３６】
次に、実際の撮像動作において、撮像素子２０２から出力されるアナログ信号である画像を表す画像信号は、撮像信号処理回路２０３において、増幅及びフィルタリング処理された後、Ａ／Ｄ変換器２０４を介してデジタル信号に変換され、メモリ２０５の所定の領域に画像データとして一時的に記憶される。
取得した画像データがメモリ２０５に伝送され、記憶された時点では、メモリ２０５には、画像データとともに、システムコントローラ２０１がモニタした縦横切替スイッチ３０１の状態の値等、カメラの各種設定値が所定の領域に記憶されている。
システムコントローラ２０１は、画像データを記憶装置２０８に保存するときに、保存する画像ファイルを画像処理回路２０６で生成させ、記憶装置２０８に保存する。この画像ファイルは、メモリ２０５に一時保存されている縦横切替スイッチ３０１の状態値を含み、撮影時のカメラの各種設定値と画像データとを関連付けた形式のファイルとなっている。
【００３７】
一方、メモリ２０５に一時的に記憶された画像データとカメラの各種設定値のデータとは、記憶装置２０８に保存されると同時に、表示素子制御回路２１２を介して、画像表示素子２０９上に画像として表示される。
このとき、メモリ２０５の所定の領域に保存された画像データに関連づけられている縦横切替スイッチ３０１の状態の値が、仮に縦位置の構図が選択されていれば、画像表示素子２０９上に表示される画像は、縦長の長方形の形態で表示される。
また、記憶装置２０８に保存されている画像ファイルも、同様の関連づけがなされているため、例えば、パーソナルコンピュータ上で、撮影した画像を鑑賞するときに、縦横切替スイッチ３０１で縦位置を選択して撮影された縦長の長方形の画像が、９０度回転した横長の長方形の形態でモニタ上に表示されることはない。
【００３８】
さらに、実際には横位置の構図である横長の長方形の領域の画像データは保存されているので、例えば、不図示の画像切替えスイッチの出力に応答して、システムコントローラ２０１が表示素子制御回路２１２に対して横長の長方形でトリミングされた画像を出力する動作を行うことも可能である。なお、上述の画像切り替えスイッチとは、撮影時に設定を行う縦横切替スイッチ３０１とは異なり、撮影後に、画像表示素子２０９を用いて鑑賞を行うときに、画像表示素子２０９に表示される画像を切り替えるスイッチであるが、縦横切替スイッチ３０１と兼ねてもよい。
また、同様に記憶装置２０８に保存された画像ファイルにおいても、画像データと画像データに関連付けられた縦横切替スイッチ３０１の状態値とが保存されているので、例えば、パーソナルコンピュータ上でこの状態値を反映させるソフトウェアを用いることにより、撮影後においても容易に、縦位置及び横位置の選択が可能となる。
【００３９】
本実施例によれば、縦位置で撮影された画像が横向きに表示されることがなくなる。
また、カメラの姿勢を変えずに横位置の姿勢のままで縦位置の撮影をすることができる。
さらに、撮像素子のサイズ及び画素を最大限有効に利用しながら、小型の光学系を使用することができる。
【００４０】
（変形例）
以上説明した実施例に限定されることなく、種々の変形や変更が可能であって、それらも本発明の均等の範囲内である。
（１）本実施例において、イメージサークルの直径は、縦位置及び横位置構図で使用する長方形の領域の対角線長さと等しい例を示したが、これに限らず、例えば、イメージサークルの直径を撮像素子の対角線長を超えない範囲で大きくしてもよい。イメージサークルの直径は、縦位置及び横位置構図で使用する長方形の領域の対角線長さと等しいことが望ましいが、イメージサークルの直径を縦位置及び横位置構図で使用する長方形の領域の対角線長さよりも多少大きくすることにより、周辺画像の画質を改善することができる場合や、ズームレンズ等において、焦点距離によりイメージサークルの直径が可変する場合には、有効である。
【００４１】
（２）本実施例において、画像表示素子２０９は、カメラ本体２００の背面に設けられている移動しない表示素子である例を図１により示したが、これに限らず、例えば、画像表示素子が回転可能にカメラ本体に連結されていてもよい。画像表示素子が回転可能にカメラ本体に連結されている従来のカメラでは、高い位置、又は、低い位置での構図の撮影が容易に行えるという利便性が、縦位置撮影時に得られなかったが、本発明を適用することにより、縦位置撮影、横位置撮影に関わらず、上述の利便性を得ることができる。
【図面の簡単な説明】
【００４２】
【図１】本発明によるカメラの実施例の概要を示すブロック図である。
【図２】本発明における撮影光学系におけるイメージサークルと撮像素子外形寸法、及び、縦位置、横位置時における画像の切り出し範囲を示す図である。
【符号の説明】
【００４３】
１００  鏡筒部
１０１  撮影光学系
１０２  像面
１０３  シャッタ・絞り
１０４  シャッタ・絞り制御回路
２００  カメラ本体
２０１  システムコントローラ
２０２  撮像素子
２０４  Ａ／Ｄ変換器
２０５  メモリ
２０６  画像処理回路
２０７  圧縮伸張回路
２０８  記憶装置
２０９  画像表示素子
２１０  ファインダ表示素子
２１１  ファインダ接眼光学系
２１２  表示素子制御回路
２１３  レリーズスイッチ
３０１  縦横切替スイッチ
【図１】
2006050475.tif 000003
【図２】
2006050475.tif 000004